(57)【要約】【課題】シャワーホースと収納物との干渉を抑制するとともに、シャワーホースの可動性を向上させた浴室用カウンターを提供する。【解決手段】浴室の壁面に取り付けられた台部と、台部の側方に設けられた収納部と、を備える浴室用カウンターであって、収納部の底面は台部の上面より下方に配置され、底面には貫通孔が設けられ、収納部と壁面との間に、台部より側方外向きに開放された空間が設けられ、台部の上方に設けられた水栓から延びるシャワーホースが空間に収納可能である。【選択図】図１
2018161201.tif 000002
【特許請求の範囲】
【請求項１】
浴室の壁面に取り付けられた台部と、前記台部の側方に設けられた収納部と、を備える浴室用カウンターであって、
前記収納部の底面は前記台部の上面より下方に配置され、前記底面には貫通孔が設けられ、
前記収納部と前記壁面との間に、前記台部より側方外向きに開放された空間が設けられ、前記台部の上方に設けられた水栓から延びるシャワーホースが前記空間に収納可能である、浴室用カウンター。
【請求項２】
前記収納部は直方体形状であり、前記空間が前記側方外向きに開放した位置における前記収納部の隅部が曲面形状を有する、
請求項１に記載の浴室用カウンター。
【請求項３】
前記収納部の上面は前記台部の上面と同じ高さに配置される、
請求項１又は２に記載の浴室用カウンター。
【請求項４】
前記収納部は、前記台部の左右両側に設けられる、
請求項１から３のいずれか１つに記載の浴室用カウンター。
【請求項５】
前記台部に設けられた左右の前記収納部の深さが互いに異なる、
請求項４に記載の浴室用カウンター。
【請求項６】
前記収納部は、ワイヤーラックで構成され、前記台部から取り外し可能である、
請求項１から５のいずれか１つに記載の浴室用カウンター。
【発明の詳細な説明】
【技術分野】
【０００１】
本発明は、浴室用カウンターに関する。
【背景技術】
【０００２】
従来の浴室用カウンターには、例えば、特許文献１に記載されているものが知られている。特許文献１に記載の浴室用カウンターは、壁面に取り付けられた台部と、シャンプーボトルなどの収納物を収める収納部と、を備え、収納部は、台部の左右両側の領域において壁面に固定された支持部に取り付けられる。
【先行技術文献】
【特許文献】
【０００３】
【特許文献１】特開２０１１−１８８８９０号公報
【発明の概要】
【発明が解決しようとする課題】
【０００４】
浴室用カウンターにおいて、ユーザがシャワーを使用する場合、収納部に収められたシャンプーボトルなどの収納物とシャワーホースが干渉して、収納物が転倒するおそれがある。また、台部の左右両側に収納部が配置されているため、シャワーホースの可動性が阻害される。
【０００５】
本発明の目的は、上記課題を解決することにあって、シャワーホースと収納物との干渉を抑制するとともに、シャワーホースの可動性を向上させた浴室用カウンターを提供することにある。
【課題を解決するための手段】
【０００６】
上記目的を達成するために、本発明の浴室用カウンターは、浴室の壁面に取り付けられた台部と、前記台部の側方に設けられた収納部と、を備える浴室用カウンターであって、前記収納部の底面は前記台部の上面より下方に配置され、前記底面には貫通孔が設けられ、前記収納部と前記壁面との間に、前記台部より側方外向きに開放された空間が設けられ、前記台部の上方に設けられた水栓から延びるシャワーホースが前記空間に収納可能であることを特徴とする。
【発明の効果】
【０００７】
本発明によれば、シャワーホースと収納物との干渉を抑制するとともに、シャワーホースの可動性を向上させた浴室用カウンターを提供することができる。
【図面の簡単な説明】
【０００８】
【図１】本発明の実施形態にかかる浴室用カウンターの概略図
【図２】収納部を台部に取り付ける前における浴室用カウンターの概略図
【図３】本発明の実施形態にかかる浴室用カウンターの正面図
【図４】本発明の実施形態にかかる浴室用カウンターの平面図
【発明を実施するための形態】
【０００９】
以下に、本発明にかかる実施形態を図面に基づいて詳細に説明する。
【００１０】
図１は、実施形態にかかる浴室用カウンター３０の概略図である。
【００１１】
図１に示すように、浴槽１０の右側の壁面１１には、水栓２０と、浴室用カウンター３０と、が設けられている。
【００１２】
水栓２０は、シャワーユニット２１と、吐水口２４と、を備える。シャワーユニット２１は、水栓２０の下部から延びるシャワーホース２２と、シャワーホース２２の先端に設けられたシャワーヘッド２３と、を備える。水栓２０からの吐水は、シャワーホース２２を通じてシャワーヘッド２３から行われるか、吐水口２４から行われる。
【００１３】
浴室用カウンター３０は、水栓２０の下方に設けられ、台部３１と、台部３１の側方に設けられた収納部３２と、を備える。台部３１は、吐水口２４からの吐水を貯める洗面桶などを置くことができ、収納部３２は、シャンプーボトルなどの収納物を収めることができる。
【００１４】
収納部３２は、台部３１の左右両側に設けられ、第１収納部３２ａと、第２収納部３２ｂと、を備える。第１収納部３２ａは台部３１の左側に設けられ、第２収納部３２ｂは台部３１の右側に設けられる。第１収納部３２ａと壁面１１との間には後述する第１空間３７が設けられ、第１空間３７にシャワーホース２２が収納される。ここで、左右方向は、浴室用カウンター３０を正面から見た場合における、台部３１の中央部からの壁面１１に沿った水平方向を示す。
【００１５】
図２は、第１収納部３２ａ及び第２収納部３２ｂを台部３１に取り付ける前における浴室用カウンター３０の概略図である。なお、第１収納部３２ａと第２収納部３２ｂは実質的に同様の構成であるため、ここでは、第１収納部３２ａのみ説明を行い第２収納部３２ｂの説明を省略する。
【００１６】
図２に示すように、第１収納部３２ａは上面Ｔ１（図３）に開口部分を有する有底容器であり、概ね直方体形状を有する。第１収納部３２ａは、枠部３３と、ワイヤー部３４と、を備える。枠部３３は、第１収納部３２ａの上面Ｔ１の開口部分を画定する概ね四角形状の枠体である。ワイヤー部３４は、壁面１１に沿った水平方向に一定の間隔で設けられた複数のワイヤー部材３４ａを備える。
【００１７】
枠部３３における台部３１側の辺には、切欠き部３５が設けられている。また、台部３１の側面には突出部３６が設けられており、枠部３３の切欠き部３５と、台部３１の突出部３６と、が嵌合することで、第１収納部３２ａが台部３１に脱着可能に取り付けられる。
【００１８】
それぞれのワイヤー部材３４ａは、枠部３３の前後方向に対向する辺より下方に延びており、これにより第１収納部３２ａの前方側側面及び後方側側面が構成される。また、前方側側面と後方側側面の下端を結ぶようにそれぞれのワイヤー部材３４ａが前後方向に延びており、これにより第１収納部３２ａの底面Ｂ１（図３）が構成される。第１収納部３２ａの底面Ｂ１は、複数のワイヤー部材３４ａで形成されているため、隣接するワイヤー部材３４ａ間に開口、すなわち貫通孔３４ｂが設けられている。また、枠部３３及びワイヤー部３４は、片持ちで台部３１に取り付けられた状態にて、収納物を保持できるような強度を有する。ここで、前後方向は、壁面１１から遠ざかる向きを前、壁面１１へ近づく向きを後とする。
【００１９】
図３は、実施形態にかかる浴室用カウンター３０の正面図である。
【００２０】
図３に示すように、収納部３２の上面Ｔ１と台部３１の上面Ｔ２とは、実質的な段差が生じない程度に概ね同じ高さに配置されている。第１収納部３２ａの底面Ｂ１及び第２収納部３２ｂの底面Ｂ２は、台部３１の上面Ｔ２より下方に配置される。また、第１収納部３２ａの底面Ｂ１は、第２収納部３２ｂの底面Ｂ２よりも下方に配置される。つまり、第１収納部３２ａと第２収納部３２ｂの深さは互いに異なっており、第１収納部３２ａは第２収納部３２ｂよりも深くなっている。
【００２１】
図４は、実施形態にかかる浴室用カウンター３０の平面図である。
【００２２】
図４に示すように、第１収納部３２ａ及び第２収納部３２ｂと壁面１１との間は、それぞれ、台部３１より側方外向き（Ｌ、Ｒ向き）に開放された第１空間３７、第２空間３８が設けられており、第１収納部３２ａ及び第２収納部３２ｂは壁面１１と接していない。第１空間３７には、図１に示すシャワーホース２２（図４では図示せず）が収納される。第１空間３７の前後方向における幅は、シャワーホース２２の外径寸法よりも大きく設定され、シャワーホース２２が第１収納部３２ａに引っかかることなく可動できるような寸法に設定されている。第１空間３７及び第２空間３８では、第１収納部３２ａ及び第２収納部３２ｂを取り外すことなく、第１空間３７及び第２空間３８に面する部分の清掃が容易に行える。また、シャワーホース２２が第１収納部３２ａに引っかからないように、第１収納部３２ａの枠部３３において、第１空間３７が側方外向き（Ｌ向き）に開放した位置の隅部３９が曲面形状になっている。ここで、側方外向き（Ｌ、Ｒ向き）は、それぞれ、左向き、右向きを示す。
【００２３】
本実施形態の浴室用カウンター３０によれば、浴室の壁面１１に取り付けられた台部３１と、台部３１の側方に設けられた収納部３２と、を備える。収納部３２の底面Ｂ１、Ｂ２は台部３１の上面Ｔ２より下方に配置され、底面Ｂ１、Ｂ２には貫通孔３４ｂが設けられる。第１収納部３２ａと壁面１１との間に、台部３１より側方外向き（Ｌ向き）に開放された第１空間３７が設けられ、台部３１の上方に設けられた水栓２０から延びるシャワーホース２２が第１空間３７に収納可能である。
【００２４】
この構成によれば、台部３１には、吐水口２４からの吐水を貯める洗面桶などを置くことができる。また、台部３１の側方の収納部３２には、シャンプーボトルなどの収納物を収めることができ、台部３１の側方の空間を有効活用することができる。また、収納部３２の底面Ｂ１、Ｂ２を台部３１の上面Ｔ２よりも下方に配置することで、収納物の高さを抑えることができる。これにより、座ったままの姿勢で、収納物の出し入れやシャンプーボトルのポンピングなどが行えるため、収納物の操作性を向上させることができる。また、収納部３２の底面Ｂ１、Ｂ２に貫通孔３４ｂを設けることで、収納部３２に流入した水を排出することができる。
【００２５】
さらに、第１収納部３２ａと壁面１１との間に、台部３１より側方外向き（Ｌ向き）に開放された第１空間３７を設け、第１空間３７にシャワーホース２２を収納することで、第１収納部３２ａに収められる収納物とシャワーホース２２が干渉するのを抑制するとともに、シャワーホース２２の可動性を向上させることができる。
【００２６】
また、本実施形態では、第１収納部３２ａは直方体形状であり、第１空間３７が側方外向き（Ｌ向き）に開放した位置における第１収納部３２ａの隅部３９が曲面形状を有する。
【００２７】
この構成によれば、第１空間３７が側方外向き（Ｌ向き）に開放した位置における第１収納部３２ａの隅部３９が曲面形状を有することで、ユーザがシャワーユニット２１を使用する際、シャワーホース２２が第１収納部３２ａの隅部３９と引っかかるのを防止することができる。
【００２８】
また、本実施形態では、収納部３２の上面Ｔ１は台部３１の上面Ｔ２と同じ高さに配置される。
【００２９】
この構成によれば、収納部３２の上面Ｔ１と台部３１の上面Ｔ２とを同じ高さに配置することで、台部３１に置いた収納物を左右方向にスライドさせて収納部３２に収めることができるため、収納物の収まりが向上する。
【００３０】
また、本実施形態では、収納部３２は、台部３１の左右両側に設けられる。
【００３１】
この構成によれば、収納部３２が台部３１の左右両側に設けられることで、収納部３２により多くの収納物を収納することができる。また、浴槽１０側に収納部３２があることで、ユーザが浴槽１０につかりながら収納物の出し入れなどを行うことができる。
【００３２】
また、本実施形態では、台部３１に設けられた左右の収納部３２の深さが互いに異なる。
【００３３】
この構成によれば、左右の収納部３２の深さを互いに異なるものとすることで、収納部３２の深さに応じて収納物を収めることができる。シャワーユニット２１が配置される側の収納部３２の深さを深くすることで、収納部３２の上面Ｔ１からの収納物の高さを低くすることができ、収納物とシャワーホース２２の干渉をよりいっそう抑制することができる。
【００３４】
また、本実施形態では、収納部３２は、複数のワイヤー部材３４ａで形成されるワイヤーラックで構成され、台部３１から取り外し可能である。
【００３５】
この構成によれば、収納部３２をワイヤーラックにより構成することで、より効率的に排水を行うことができる。また、収納部３２を取り外し可能にすることで、収納部３２の清掃を容易に行うことができる。
【００３６】
なお、本発明は前記実施形態に限定されるものではなく、その他種々の態様で実施できる。例えば、前記実施形態では、浴槽１０の右側の壁面１１には、水栓２０と浴室用カウンター３０とが設けられているとしたが、本発明はこれに限定されない。浴槽１０と、水栓２０及び浴室用カウンター３０との位置関係が左右逆であってもよい。
【００３７】
また、前記実施形態では、シャワーユニット２１は水栓２０の下部から延びるシャワーホース２２を備えるとしたが、シャワーホース２２は水栓２０の他の場所から延びるように設けられてもよい。
【００３８】
また、前記実施形態では、収納部３２は、台部３１の左右両側に設けられるとしたが、台部３１のどちらか片側であってもよい。
【００３９】
また、前記実施形態では、第１収納部３２ａは上面Ｔ１に開口部分を有する有底容器であり、概ね直方体形状を有し、第１収納部３２ａは、枠部３３と、ワイヤー部３４と、を備えるとしたが、収納物を収めることができるものであれば、他の構成であってもよい。側面と、貫通孔３４ｂを有する底面と、を備え、上部が開口された容器であれば、様々な構成を採用してもよい。
【００４０】
また、前記実施形態では、枠部３３の切欠き部３５と、台部３１の突出部３６と、が嵌合することで、第１収納部３２ａが台部３１に脱着可能に取り付けられるとしたが、収納部３２が台部３１に取り付けられれば、他の構成であってもよい。
【００４１】
また、前記実施形態では、収納部３２の上面Ｔ１と台部３１の上面Ｔ２とは、実質的な段差が生じない程度に概ね同じ高さに配置されているとしたが、収納部３２の上面Ｔ１と台部３１の上面Ｔ２は異なる高さであってもよい。
【００４２】
また、前記実施形態では、第１収納部３２ａと第２収納部３２ｂの深さは互いに異なっており、第１収納部３２ａは第２収納部３２ｂよりも深くなっているとしたが、第１収納部３２ａが、第２収納部３２ｂよりも浅くなっていても、第２収納部３２ｂと同じ深さであってもよい。
【００４３】
また、前記実施形態では、第１収納部３２ａ及び第２収納部３２ｂと壁面１１との間は、それぞれ、台部３１より側方外向き（Ｌ、Ｒ向き）に開放された第１空間３７、第２空間３８が設けられているとしたが、他の構成であってもよい。例えば、第１収納部３２ａ（シャワーホース２２が配置される側）に第１空間３７が設けられれば、第２収納部３２ｂ（シャワーホース２２が配置されない側）は、壁面１１との間に第２空間３８が設けられなくてもよい。
【００４４】
また、前記実施形態では、第１収納部３２ａの枠部３３において、第１空間３７が側方外向き（Ｌ向き）に開放した位置の隅部３９が曲面形状になっているとしたが、他の形状であってもよい。
【００４５】
本発明は、添付図面を参照しながら好ましい実施形態に関連して充分に記載されているが、この技術の熟練した人々にとっては種々の変形や修正は明白である。そのような変形や修正は、添付した特許請求の範囲による本発明の範囲から外れない限りにおいて、その中に含まれると理解されるべきである。また、実施形態における要素の組み合わせや順序の変化は、本発明の範囲及び思想を逸脱することなく実現し得るものである。
【産業上の利用可能性】
【００４６】
本発明は、浴室用カウンターの収納部に収められる収納物とシャワーホースとの干渉を抑制するとともに、シャワーホースの可動性を向上させた浴室用カウンターの製造に有用である。
【符号の説明】
【００４７】
１０  浴槽
１１  壁面
２０  水栓
２１  シャワーユニット
２２  シャワーホース
２３  シャワーヘッド
２４  吐水口
３０  浴室用カウンター
３１  台部
３２  収納部
３２ａ  第１収納部
３２ｂ  第２収納部
３３  枠部
３４  ワイヤー部
３４ａ  ワイヤー部材
３４ｂ  貫通孔
３５  切欠き部
３６  突出部
３７  第１空間
３８  第２空間
３９  隅部
Ｔ１  収納部の上面
Ｔ２  台部の上面
Ｂ１  第１収納部の底面
Ｂ２  第２収納部の底面
【図１】
2018161201.tif 000003
【図２】
2018161201.tif 000004
【図３】
2018161201.tif 000005
【図４】
2018161201.tif 000006